(57)【特許請求の範囲】
【請求項１】
受信した音声信号を再生可能な携帯受信装置であって、
前記音声信号を再生し、再生した音声信号をスピーカまたはイヤホンへ出力する音声デコード部と、
当該携帯受信装置と、前記イヤホンとが接続されているか否かを判定するイヤホン接続検出部と、
前記イヤホン接続検出部の検出結果に応じて、前記音声デコード部の動作の停止、または開始を制御し、前記音声デコード部が動作を停止したこと、または動作を開始したことを表示させる制御部とを備え、
前記制御部は、前記イヤホン接続検出部においてイヤホンが接続されていると判定され、且つ前記音声デコード部が動作している状態において、前記イヤホン接続検出部の検出結果がイヤホンが接続されていないという判定に変化した場合に、前記音声デコード部の動作を停止するよう制御する、携帯受信装置。
【請求項２】
前記制御部は、前記イヤホン接続検出部においてイヤホンが接続されていないと判定され、且つ前記音声デコード部が停止している状態において、前記イヤホン接続検出部の検出結果がイヤホンが接続されているという判定に変化した場合に、前記音声デコード部の動作を開始するよう制御する、請求項１に記載の携帯受信装置。
【請求項３】
前記携帯受信装置は、前記受信した音声信号に加え、受信した映像信号を再生可能であり、
前記映像信号を再生する映像デコード部と、
前記映像デコード部の出力を表示する表示部とをさらに備える、請求項１に記載の携帯受信装置。
【請求項４】
前記携帯受信装置は、前記音声デコード部の動作の停止、または開始の制御を、前記イヤホン接続検出部の検出結果に応じて行うか否かをユーザが選択可能な操作部をさらに備える、請求項１に記載の携帯受信装置。
【請求項５】
携帯受信装置において、受信した音声信号を再生する再生方法であって、
前記音声信号を再生し、再生した音声信号をスピーカまたはイヤホンへ出力する音声デコード処理を実行するステップと、
前記携帯受信装置と、前記イヤホンとが接続されているか否かを判定するイヤホン接続検出処理を実行するステップと、
前記イヤホン接続検出処理の検出結果に応じて、前記音声デコード処理の停止、または開始を制御し、前記音声デコード処理が停止したこと、または開始したことを表示させる制御処理を実行するステップとを含み、
前記制御処理は、前記イヤホン接続検出処理においてイヤホンが接続されていると判定され、且つ前記音声デコード処理を実行している状態において、前記イヤホン接続検出処理の検出結果がイヤホンが接続されていないという判定に変化した場合に、前記音声デコード処理を停止するよう制御する、再生方法。
【請求項６】
前記制御処理は、前記イヤホン接続検出処理においてイヤホンが接続されていないと判定され、且つ前記音声デコード処理を停止している状態において、前記イヤホン接続検出処理の検出結果がイヤホンが接続されているという判定に変化した場合に、前記音声デコード処理を開始するよう制御する、請求項５に記載の再生方法。
【請求項７】
前記再生方法は、前記受信した音声信号に加え、受信した映像信号を再生可能であり、
前記映像信号を再生する映像デコード処理を実行するステップと、
前記映像デコード処理の出力を表示する表示処理を実行するステップとをさらに含む、請求項５に記載の再生方法。
【請求項８】
前記再生方法は、ユーザが前記携帯受信装置の操作部を用いて行った、前記イヤホン接続検出処理の検出結果に応じて、前記音声デコード処理の停止、または開始を制御する制御処理を実行するか否かの選択結果を取得する操作入力処理を実行するステップを、さらに備える、請求項５に記載の再生方法。
【発明の詳細な説明】
【技術分野】
【０００１】
本発明は地上デジタル放送の携帯受信装置に関するものである。
【背景技術】
【０００２】
従来のテレビ放送受信装置において、音声のみを再生する音声モード機能を持つものがあり、音声モードを選択すると、映像表示デバイスへ制御を行うことで消費電力を抑制するものがあった(例えば、特許文献１参照)。図９は前記特許文献１に記載されたテレビ受信機の構造を表すブロック図である。
【０００３】
図９において、ユーザがリモコン１０１を用いて音声モードを選択すると、リモコン受光部１０２にリモコン制御信号が入力され、リモコン受光部１０２からＣＰＵ１０３へ音声モード選択信号が出力される。ＣＰＵ１０３は、前記音声モード選択信号に応じ、偏向高圧回路１０９の偏向動作、高圧圧制動作を停止するための偏向高圧オフ信号を偏向高圧制御回路１０５へ出力する。偏向高圧制御回路１０５が、偏向高圧回路１０９の偏向動作、高圧発生動作を停止させ、ＣＲＴ１１３画面に映像が表示されないという構成であった。
【先行技術文献】
【特許文献】
【０００４】
【特許文献１】特開平７−１０７４０５号公報（第３−４頁、図１）
【発明の概要】
【発明が解決しようとする課題】
【０００５】
電池式の携帯デジタル放送受信装置においては、消費電力を極力抑えることが大きな課題となっている。
【０００６】
携帯デジタル放送受信装置は、固定デジタル放送受信装置と異なり、ユーザが、徒歩または交通機関車両等で移動しながら利用することが多い。このような利用形態では、車両の乗り換えでの移動の時など、ユーザが画面を見ていない状況、または音声を消している状況が生じる。これらの状況下で画面に画像を表示させることや音声を出力することは消費電力の面から好ましくない。
【０００７】
そこで、通常の受信だけではなく、音声だけをデコードさせる音声モードと映像だけをデコードさせる映像モードを設ける。
【０００８】
しかしながら、従来の方式では、音声モード選択時にＣＲＴへの表示を停止するだけで、映像処理回路は動作しており、さらに、消音した時も音声処理回路は動作している。この映像処理回路および音声処理回路における消費電力は、携帯デジタル放送受信装置において決して無視できるほど小さくなく、また映像・音声が高品質になるほど大きくなるものであるため、不必要な時に映像処理回路および音声処理回路を動作させることで無駄な電力を消費していた。
【０００９】
また、モード切り換えを設けた場合、刻一刻と利用形態は変化するので、この切り換え操作を簡略化する必要があった。
【００１０】
本発明では、ユーザの好みに応じて、音声モード、映像モード、通常に音声と映像を出力する通常モード等の操作手段により各回路の動作を停止・再開することで消費電力を抑制し、また、様々なモードを設けモード切換の操作を簡略化することで、使い勝手の良い携帯デジタル放送受信装置の提供を目的とする。
【課題を解決するための手段】
【００１１】
上記従来の課題を解決するために、第１の携帯デジタル放送受信装置は、所望の放送波を受信復調するデジタル受信復調部と、このデジタル受信復調部の出力から映像信号を再生する映像デコード部と、この映像デコード部の出力を表示する映像表示デバイスと、デジタル受信復調部の出力から音声信号を再生する音声デコード部と、この音声デコード部の出力を出力する音声提示デバイスと、デジタル放送の映像の表示を設定する操作部と、デジタル受信復調部と映像デコード部と映像表示デバイスの動作を制御する制御部とで構成しており、この制御部は、操作部で音声のみを再生するよう選択された場合には、映像デコード部と、映像表示デバイスの動作を停止するように制御するようにしている。
【００１２】
携帯デジタル放送受信装置をこのような構成にしておけば、映像デコード部と映像表示デバイスの動作を停止して音声のみを再生することが可能となり、ユーザの視聴形態に合わせて、不必要な処理回路の動作を止めることができ、携帯デジタル放送受信装置において大きな課題の一つである消費電力を抑えることが可能となる。
【００１３】
また、第２の携帯デジタル放送受信装置は、所望の放送波を受信復調するデジタル受信復調部と、このデジタル受信復調部の出力から映像信号を再生する映像デコード部と、この映像デコード部の出力を表示する映像表示デバイスと、デジタル受信復調部の出力から音声信号を再生する音声デコード部と、この音声デコード部の出力を出力する音声提示デバイスと、デジタル放送の映像の表示を設定する操作部と、デジタル受信復調部と映像デコード部と映像表示デバイスの動作を制御する制御部とで構成しており、この制御部は、操作部で音声のみを再生するよう選択された場合には、映像デコード部の動作を停止するように制御し、映像表示デバイスには待機画像を映すよう制御するようにしている。
【００１４】
携帯デジタル放送受信装置をこのような構成にしておけば、映像デコード部の動作を停止し、映像表示デバイスには待機画面を映して音声のみを再生することが可能となり、ユーザの視聴形態に合わせて、不必要な処理回路の動作を止めることができ、携帯デジタル放送受信装置において大きな課題の一つである消費電力を抑えることが可能となる。また、待機画面を映すことで、最小限の消費電力で、必要な日時、放映チャンネルなどの情報を表示することが可能となる。
【００１５】
また、第３の携帯デジタル放送受信装置は、所望の放送波を受信復調するデジタル受信復調部と、このデジタル受信復調部の出力から映像信号を再生する映像デコード部と、この映像デコード部の出力を表示する映像表示デバイスと、デジタル受信復調部の出力から音声信号を再生する音声デコード部と、音声デコード部の出力を出力する音声提示デバイスと、デジタル放送の音声の表示を設定する操作部と、デジタル受信復調部と音声デコード部の動作を制御する制御部とで構成しており、この制御部は、操作部で映像のみを再生するよう選択された場合に、音声デコード部の動作を停止するように制御するようにしている。
【００１６】
携帯デジタル放送受信装置をこのような構成にしておけば、音声デコード部の動作を停止して映像のみを再生することが可能となり、ユーザの視聴形態に合わせて、不必要な処理回路の動作を止めることができ、携帯デジタル放送受信装置において大きな課題の一つである消費電力を抑えることが可能となる。
【００１７】
また、第４の携帯デジタル放送受信装置は、所望の放送波を受信復調するデジタル受信復調部と、デジタル受信復調部の出力から映像信号を再生する映像デコード部と、映像デコード部の出力を表示する映像表示デバイスと、デジタル受信復調部の出力から音声信号を再生する音声デコード部と、音声デコード部の出力を出力する音声提示デバイスと、携帯デジタル放送受信装置にイヤホンが差し込まれているか否かを検出するイヤホン差込検出部とで構成しており、このイヤホン差込検出部の判定により音声デコード部の動作を制御するようにしている。
【００１８】
携帯デジタル放送受信装置をこのような構成にしておけば、イヤホンを抜くことだけで音声の処理動作が停止され映像のみを再生することが可能となり、携帯デジタル放送受信装置において大きな課題の一つである消費電力を抑えることが可能となり、またユーザの操作の簡略化が可能となる。
【００１９】
また、第５の携帯デジタル放送受信装置は、所望の放送波を受信復調するデジタル受信復調部と、デジタル受信復調部の出力から映像信号を再生する映像デコード部と、映像デコード部の出力を表示する映像表示デバイスと、デジタル受信復調部の出力から音声信号を再生する音声デコード部と、音声デコード部の出力を出力する音声提示デバイスと、携帯デジタル放送受信装置の形態を検出する形態検出部とで構成しており、形態検出部における検出により、映像デコード部と映像表示デバイスの動作を制御するようにしている。
【００２０】
携帯デジタル放送受信装置をこのような構成にしておけば、携帯デジタル放送受信装置の形態を変えることに連動して、映像デコード部と映像表示デバイスの動作を停止し音声のみの再生が可能となり、消費電力の抑制およびユーザの操作の簡略化が可能となる。
【００２１】
また、第６の携帯デジタル放送受信装置は、第５の携帯デジタル放送受信装置において、形態検出部における検出により、さらに、デジタル受信復号部と、音声デコード部の動作を制御するようにしている。
【００２２】
携帯デジタル放送受信装置をこのような構成にしておけば、携帯デジタル放送受信装置の形態を変えることに連動してデジタル受信を終えることができ、ユーザの操作の簡略化が可能となる。
【００２３】
また、第７の携帯デジタル放送受信装置は、第５または第６の携帯デジタル放送受信装置において、サブ映像表示デバイスを持ち、制御部が、形態検出部における検出により、映像デコード部からの出力をサブ映像表示デバイスに映すよう制御するように構成している。
【００２４】
携帯デジタル放送受信装置をこのような構成にしておけば、携帯デジタル放送受信装置の形態の変化に伴って映像表示デバイスを切り換えることが可能となり、ユーザの操作の簡略化が可能となる。
【００２５】
また、第８の携帯デジタル放送受信装置は、第７の携帯デジタル放送受信装置において、形態検出部の検出によって、映像デコード部にダウンデコードを行うよう制御し、映像デコード部からの出力をサブ映像表示デバイスに出力する構成としている。
【００２６】
携帯デジタル放送受信装置をこのような構成にしておけば、携帯デジタル放送受信装置の形態の変化に伴って、ダウンデコードされた映像が、サブ映像表示デバイスに表示され、消費電力の抑制とユーザの操作の簡略化が可能となる。
【００２７】
また、第９の携帯デジタル放送受信装置は、所望の放送波を受信復調するデジタル受信復調部と、デジタル受信復調部の出力から映像信号を再生する映像デコード部と、映像デコード部の出力を表示する映像表示デバイスと、デジタル受信復調部の出力から音声信号を再生する音声デコード部と、音声デコード部の出力を出力する音声提示デバイスと、映像デコード部のダウンデコードを制御するダウンデコード制御部と、デジタル受信復調部と映像デコード部と映像表示デバイスと音声デコード部と音声提示デバイスとダウンデコード制御部に電力を供給する電池の残量を検出する電池残量検出部と、を持ち、電池残量検出部で電池の残量がある閾値以下であると判定されると、ダウンデコード制御部は、映像デコード部にダウンデコードを行うよう制御する構成としてある。
【００２８】
携帯デジタル携帯放送受信装置をこのような構成にしておけば、携帯放送受信装置の電池量が少なくなった時に、自動的にダウンデコードを行うことができ、消費電力を抑制することが可能となる。
【００２９】
また、第１０の携帯デジタル放送受信装置は、所望の放送波を受信復調するデジタル受信復調部と、デジタル受信復調部の出力から映像信号を再生する映像デコード部と、映像デコード部の出力を表示する映像表示デバイスと、デジタル受信復調部の出力から音声信号を再生する音声デコード部と、音声デコード部の出力を出力する音声提示デバイスとで構成され、メール、インターネット、電話の通信機能と、ゲーム機能を有し、通信機能やゲーム機能に関する操作が行われた時に、映像デコード部の動作を停止し、通信機能やゲーム機能に関する画像を映像表示デバイスに表示する構成としている。
【００３０】
携帯デジタル放送受信装置をこのような構成にしておけば、音声でデジタル放送を楽しみながら、通信やゲームといった放送外の機能の操作が可能となり、また、その時の消費電力の抑制が可能となる。
【００３１】
また、第１１の携帯デジタル放送受信装置では、放送受信機能の動作状態を表示する表示手段を有しており、現在の放送受信機能の動作状態がユーザおよび第三者に分かるよう表示させる構成としてある。
【００３２】
携帯デジタル放送受信装置をこのような構成にしておけば、放送受信機能の動作状態が表示でき、ユーザの電源の切り忘れを防止でき、第三者にもデジタル放送視聴していることを明示することができる。
【００３３】
また、第１２の携帯デジタル放送受信装置では、映像デコード部と、映像表示デバイスと、音声デコード部の回路動作の状態がユーザおよび第三者に分かるよう表示させる構成としてある。
【００３４】
携帯デジタル放送受信装置をこのような構成にしておけば、映像デコード部と、映像表示デバイスと、音声デコード部の回路動作状況が表示でき、ユーザの電源の切り忘れを防止することができる。
【００３５】
また、上記従来の課題を解決するための受信装置は、受信信号を復調して映像データを生成する復調部と、映像データから１秒当たり所定のフレーム数の第１の映像信号、または、第１の映像信号よりも１秒当たりのフレーム数が少ない第２の映像信号を生成する映像信号生成部と、第１の映像信号または第２の映像信号を表示する映像表示デバイスと、映像信号生成部が、第１の映像信号と第２の映像信号のどちらを生成するかを制御する制御部とで構成されている。さらに、受信装置が備える電池の残量を検出する検出部を備えれば、電池の残量が所定の閾値よりも少ない場合に、映像信号生成部に対して第２の映像信号を生成する処理を行うように、制御部が制御することも可能である。
【発明の効果】
【００３６】
本発明の携帯デジタル放送受信装置は、映像だけを出力するモード、または音声だけを出力するモード選択時の無駄な消費電力を抑制することが可能となる。また、モード切り換え時におけるユーザの操作の簡略化が可能となる。
【図面の簡単な説明】
【００３７】
【図１】本発明の実施の形態１における携帯デジタル放送受信装置のブロック図
【図２】本発明の実施の形態２における携帯デジタル放送受信装置のブロック図
【図３】本発明の実施の形態３における携帯デジタル放送受信装置のブロック図
【図４】本発明の実施の形態４における携帯デジタル放送受信装置のブロック図
【図５】本発明の実施の形態５における携帯デジタル放送受信装置のブロック図
【図６】本発明の実施の形態６における携帯デジタル放送受信装置のブロック図
【図７】本発明の実施の形態７における携帯デジタル放送受信装置のブロック図
【図８】本発明の実施の形態８における携帯デジタル放送受信装置のブロック図
【図９】従来の音声モードを有するテレビ放送受信機のブロック図
【発明を実施するための形態】
【００３８】
以下本発明の実施形態について図面を参照して説明する。
【００３９】
（実施の形態１）
図１は、本発明の実施の形態１における携帯デジタル放送受信装置のブロック図である。図１に示すように、携帯デジタル放送受信装置は、アンテナ１とチューナ２とデジタル復調復号部３と映像デコード回路４と、映像出力回路５と、表示デバイス６と、音声デコード回路７と音声出力回路８とスピーカまたはイヤホン９と、操作部１０と制御部１１を有している。
【００４０】
放送波は、アンテナ１を介してチューナ２に送られ、チューナ２で受信チャンネルの選択が行われ、デジタル復調復号部３においてＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘ：直交周波数分割多重）等のデジタル復調・誤り訂正を施してＴＳ（Ｔｒａｎｓｐｏｒｔ  Ｓｔｒｅａｍ：伝送ストリーム）を再生し、音声信号と映像信号に分けられる。なお、チューナ２とデジタル復調復号部３を合わせてデジタル受信復調部５１と呼ぶ。ＭＰＥＧ（Ｍｏｖｉｎｇ  Ｐｉｃｔｕｒｅ  Ｅｘｐｅｒｔｓ  Ｇｒｏｕｐ）２／４などの映像信号は、映像デコード回路４でデコードされ、映像出力回路５を介し、表示デバイス６によって表示される。一方、音声信号は、音声デコード回路７でデコードされ、音声出力回路８を介し、スピーカもしくはイヤホン９によって出力される。なお、映像デコード回路４と映像出力回路５を合わせて映像デコード部５２、音声デコード回路７と音声出力回路８とを合わせて音声デコード部５３と呼ぶ。
【００４１】
デジタル放送の映像だけを出力する映像モードと、音声だけを出力する音声モードの選択、解除の動作の説明をする。
【００４２】
操作部１０には、音声モードと映像モードと、通常に映像と音声を出力する通常モードから選択できる選択手段を持つ。ユーザが、操作部１０で、音声モードを選択すると、音声モード選択信号が制御部１１へ送られる。制御部１１は、音声モード選択信号を受け取ると、映像デコード部５２と、表示デバイス６へ回路動作を停止する制御信号を送る。この制御信号を受け取ると、映像デコード部５２と表示デバイス６の回路動作が停止し、映像が表示されなくなる。音声モードを解除した場合は、映像デコード部５２と、表示デバイス６へ回路動作を開始する制御信号が送られ、映像デコード部５２と、表示デバイス６の回路動作が再開され、表示デバイス６に映像が表示される。
【００４３】
ユーザが、操作部１０で、映像モードを選択すると、映像モード選択信号が制御部１１へ送られる。制御部１１は、映像モード選択信号を受け取ると、音声デコード部５３へ回路動作を停止する制御信号を送る。この制御信号を受け取ると、音声デコード部５３の回路動作が停止し、スピーカまたはイヤホン９から音声が出力されなくなる。映像モードを解除した場合は、音声デコード部５３へ回路動作を開始する制御信号が送られ、音声デコード部５３の回路動作が再開され、スピーカまたはイヤホン９から音声が出力される。
【００４４】
なお、回路動作の停止及び解除は、回路への電力の供給を停止・再開しても良いし、回路へ供給されるクロックを停止・再開しても良い。
【００４５】
よって、音声モード、映像モード選択時に、視聴形態に不必要な回路動作を停止することが可能となり、消費電力を削減できる。
【００４６】
（実施の形態２）
次に、本発明の携帯デジタル放送受信装置の実施の形態２について、図２を参照して説明する。
【００４７】
図２は本発明の実施の形態２における携帯デジタル放送受信装置のブロック図である。図１と同じ構成要素については同じ符号を用い、説明を省略する。
【００４８】
本実施の形態は実施の形態１と比較して、待機画像を持ち、音声モード選択時に表示デバイス６に待機映像を映し出す点が相違する。
【００４９】
ユーザが、操作部１０で、音声モードを選択すると、音声モード選択信号が制御部１１へ送られる。制御部１１は、音声モード選択信号を受け取ると、映像デコード部５２の回路動作を停止する制御信号を送り、映像デコード部５２の回路動作が停止させる。また、制御部１１は表示デバイス６に待機画像を映すよう、スイッチ４１を切り換える。このことにより、表示デバイスには待機画像が表示される。
【００５０】
なお、待機画像を表示する際、表示デバイス６のバックライトを消しておいてもよい。よって、音声モード、映像モード選択時に、視聴形態に不必要な回路動作を停止することが可能となり、消費電力を削減できる。
【００５１】
（実施の形態３）
次に、本発明の携帯デジタル放送受信装置の実施の形態３について、図３を参照して説明する。
【００５２】
図３に示すように、携帯デジタル放送受信装置は、アンテナ１とチューナ２とデジタル復調復号部３と映像デコード回路４と、映像出力回路５と、表示デバイス６と、音声デコード回路７と音声出力回路８とスピーカまたはイヤホン９と、操作部１０と制御部１１とイヤホン差込検出部１２を有している。
【００５３】
イヤホン差込検出部１２は、携帯デジタル放送受信装置にイヤホン９が差し込まれているか否かを検出する。イヤホン差込検出部１２が、イヤホン９が差し込まれていないと判定すれば、制御部１１に映像モード選択信号を送り、制御部１１は音声デコード部５３の動作を停止するよう回路動作ＯＦＦ信号を送り、音声デコード部５３の回路の動作を停止させる。イヤホン差込検出部１２が、イヤホン９が差し込まれていると判定すれば、制御部１１に通常モード選択信号を送る。制御部１１は音声デコード部５３の動作を再開するよう回路動作ＯＮ信号を送り、音声デコード部５３の回路動作を再開させ、イヤホン９から音声を出力する。このことにより、ユーザは視聴していて、映像のみを楽しむ環境になった時に、イヤホン９を携帯デジタル放送受信装置から抜くだけで、映像モードに切り換える操作をする必要なく、音声の処理動作を停止でき、逆にイヤホンを差し込むだけで音声の処理動作を再開し通常モードに切り換わるため、ユーザの操作の簡略化が可能となる。
【００５４】
なお、操作部１０にイヤホン差込検出部１２からの信号を無視するよう選択できる手段を持たせてもよい。
【００５５】
（実施の形態４）
次に、本発明の携帯デジタルテレビ放送受信機の実施の形態４について、図４を参照して説明する。
【００５６】
図４は本発明の実施の形態４における携帯デジタル放送受信装置のブロック図である。図３と同じ構成要素については同じ符号を用い、説明を省略する。
【００５７】
本実施の形態は実施の形態３と比較して、イヤホン差込検出部の代わりに、携帯デジタル放送受信装置の形態を検出する形態検出部１３を持つ点が相違する。
【００５８】
この形態検出部１３は、例えば、携帯デジタル放送受信装置を折りたたんだことや、Ｌ字に曲げること、一部を回転させること、アンテナ１の伸縮等を検出する。
【００５９】
ここでは以下、折りたたみ式の携帯デジタル放送受信装置について言及する。形態検出部１３により、受信装置が折りたたまれた状態と判定された時には、形態検出部１３は形態Ｂ検出信号を制御部１１へ送り、制御部１１はデジタル受信復号部５１と、映像デコード部５２と表示デバイス６と、音声デコード部５３へ回路動作ＯＦＦ信号を送る。この信号により、デジタル受信復調部５１と、映像デコード部５２と表示デバイス６と、音声デコード部５３の動作が停止する。
【００６０】
このことにより、ユーザは、デジタル放送受信機能を停止することなく、受信機を折りたたむことよって、放送受信機能が停止するので、ユーザの操作が簡略になる。
【００６１】
また、操作部１０は、携帯デジタル放送受信装置が折りたたまれた時に音声モードになる準音声モードを選択できる手段を持ち、操作部１０において準音声モード選択時に、形態検出部１３により、折りたたまれたと判定された時には、形態検出部１３は形態Ｂ検出信号を制御部１１へ送り、制御部１１は映像デコード部５２と表示デバイス６へ回路動作ＯＦＦ信号を送る。この信号により、映像デコード部５２と表示デバイス６の動作が停止する。形態検出部１３により受信装置が開かれた状態と判定された時には、形態検出部１３は形態Ａ検出信号を制御部１１へ送り、制御部１１は映像デコード部５２と表示デバイス６へ回路動作ＯＮ信号を送る。この信号により、映像デコード部５２と表示デバイス６の動作が再開する。
【００６２】
このことにより、ユーザは、携帯デジタル放送受信装置を折りたたむことによって、映像表示が停止され、逆に受信装置を開いた状態にすることによって映像の処理動作が再開し、消費電力の抑制とユーザの操作の簡略化が可能になる。
【００６３】
（実施の形態５）
次に、本発明の携帯デジタル放送受信装置の実施の形態５について、図５を参照して説明する。
【００６４】
図５は本発明の実施の形態５における携帯デジタル放送受信装置のブロック図である。図４と同じ構成要素については同じ符号を用い、説明を省略する。
【００６５】
本実施の形態は実施の形態４と比較して、映像デコード部５２からの出力の表示を、折りたたまれた状態の時にメインの表示デバイス６からサブの表示デバイス１５に切り換え、映像デコード回路４でダウンデコードを行う点が異なる。
【００６６】
本発明の実施の形態５における携帯デジタル放送受信装置は、サブ表示デバイス１５と、切り換えスイッチ４２と、形態検出部１３からの信号によって映像デコード回路４におけるダウンデコードＯＮ・ＯＦＦを制御するダウンデコード制御部１４を有しており、形態検出部１３により、折りたたまれた状態であると判定されると、スイッチ４２が表示デバイス１５へ切り換わり、また、ダウンデコード制御部１４へ形態Ｂ検出信号が送られる。この信号をダウンデコード制御部１４が受け取ると、ダウンデコード制御部１４は映像デコード回路４へダウンデコード制御ＯＮ信号を送る。この信号により、映像デコード回路４は通常と異なるダウンデコードを行い、映像出力回路５を経て、ダウンデコードされた映像が表示デバイス１５で表示される。開かれた状態であると判定されると、スイッチ４２が表示デバイス６へ切り換わり、また、ダウンデコード制御部１４へ、形態Ａ検出信号が送られる。この信号をダウンデコード制御部１４が受け取ると、ダウンデコード制御部１４は映像デコード回路４へダウンデコード制御ＯＦＦ信号を送る。この信号により、映像デコード回路４は通常のデコードを行い、映像出力回路５を経て、通常の映像が表示デバイス６で表示される。
【００６７】
このことにより、ユーザは携帯デジタル放送受信装置を折りたたむことで、映像デコード回路４でダウンデコードを行った映像をサブ表示デバイス１５で表示させることができ、消費電力を削減することができる。
【００６８】
なお、本実施の形態では、映像デコード回路４でのダウンデコードについて述べたが、映像出力回路５において、出力する１秒当たりのフレーム数を少なくするよう制御してもよい。また、ダウンデコード、フレーム数の削減は、操作部１０でユーザが設定できるようにしてもよい。
【００６９】
（実施の形態６）
次に、本発明の携帯デジタル放送受信装置の実施の形態６について、図６を参照して説明する。
【００７０】
図６は本発明の実施の形態６における携帯デジタル放送受信装置のブロック図である。
【００７１】
図６に示すように、携帯デジタル放送受信装置は、アンテナ１とチューナ２とデジタル復調復号部３と映像デコード回路４と、映像出力回路５と、表示デバイス６と、音声デコード回路７と音声出力回路８とスピーカまたはイヤホン９と、操作部１０と制御部１１とダウンデコード制御部１４と電池残量検出部１６を有している。
【００７２】
電池残量検出部１６で、電池残量が閾値よりも小さいことが検出されると、ダウンデコード制御部１４は映像デコード回路４へダウンデコード制御ＯＮ信号を送る。この信号により、映像デコード回路４は通常と異なるダウンデコードを行い、映像出力回路５を経て、ダウンデコードされた映像が表示デバイス６で表示される。
【００７３】
このことにより、電池残量が少なくなった時に映像デコード回路４でダウンデコードを行った映像を表示デバイス６で表示させることができ、消費電力を削減することができる。
【００７４】
なお、本実施の形態では、映像デコード回路４でのダウンデコードについて述べたが、映像出力回路５において、出力する１秒当たりのフレーム数を少なくするよう制御してもよい。また、ダウンデコード、フレーム数の削減は、操作部１０でユーザが設定できるようにしてもよい。
【００７５】
（実施の形態７）
次に、本発明の携帯デジタル放送受信装置の実施の形態７について、図７を参照して説明する。
【００７６】
図７は本発明の実施の形態７における携帯デジタル放送受信装置のブロック図である。図２と同じ構成要素については同じ符号を用い、説明を省略する。
【００７７】
本実施の形態は実施の形態２と比較して、待機画面を表示デバイス６に映す代わりに、通信機能やゲーム機能といった通信・ゲーム機能操作部１７と通信・ゲーム機能処理回路１８とその機能の画像を出力させる画像出力回路１９を有し、デジタル放送受信中に、メールやインターネットなどの通信機能や、ゲームといったデジタル放送受信機能以外の機能の画像を表示デバイス６に表示させるよう制御する点が相違する。
【００７８】
図７の携帯デジタル放送受信装置は、通信・ゲーム機能操作部１７により、デジタル放送受信中にメール・インターネットやゲームの操作が行われると、制御部１１に映像デコード部５２の動作を制御するよう信号が送られる。この信号により、制御部１１は、映像デコード部５２へ回路動作ＯＦＦ信号を送り、映像デコード部５２の回路動作を停止する。また、通信やゲーム機能の操作が行われると、スイッチ制御信号により、スイッチ４３が切り換わり、通信・ゲーム機能処理回路１８から送りだされた信号が画像出力回路１９を経て、表示デバイス６に表示される。通信・ゲーム機能操作部１７でこの機能の終了キーを操作すると、通常モード選択信号が制御部１１に送られ、映像デコード部５２の動作が再開される。また、スイッチ４３が切り換わり、映像出力回路５から送られるデジタル放送映像が表示デバイス６に表示される。
【００７９】
このことにより、スピーカ及びイヤホン９からデジタル放送の音声を楽しみながら、メールやインターネットなどの通信機能や、ゲームといった放送受信外機能を使用することができ、ユーザの使い勝手が向上する。また、このとき、映像デコード部５２の回路動作を停止することにより、消費電力を削減することができる。
【００８０】
（実施の形態８）
次に、本発明の携帯デジタル放送受信装置の実施の形態８について、図８を参照して説明する。
【００８１】
図８は本発明の実施の形態８における携帯デジタル放送受信装置のブロック図である。図１と同じ構成要素については同じ符号を用い、説明を省略する。
【００８２】
本実施の形態は実施の形態１と比較して、表示信号制御部２０と、デジタル放送機能動作状態表示部２１、モード状態表示部２２を設けた点が相違する。
【００８３】
操作部１０により、ユーザが、携帯デジタル放送受信機の電源のＯＮ・ＯＦＦを切り換えると、表示信号制御部２０にデジタル放送機能動作ＯＮ・ＯＦＦ選択信号が送られ、表示信号制御部２０はデジタル放送機能動作状態表示部２１に電源がＯＮまたはＯＦＦであることを表示させる。また、操作部１０により、ユーザが音声のみ再生の音声モード等のモードを選択すると、表示信号制御部２０にモード選択信号が送られ、表示信号制御部１９はモード状態表示部２２に選択されたモードを表示させる。
【００８４】
このことにより、放送受信機能の動作状況およびモード選択状況が表示でき、ユーザの電源の切り忘れを防止できる。また、近年、公衆の場での通信機器の使用のモラルが指摘されているが、デジタル放送機能の動作状態を表示することで、図８の携帯デジタル放送受信装置が図示しないメールやインターネット、電話等の通信機能を有している場合にも、第三者に、通信機能ではなく、デジタル放送を視聴していることを明示することができる。
【００８５】
なお、通信機能の動作状態表示部を設け、上記通信機能の動作が停止していることを表示してもよい。
【産業上の利用可能性】
【００８６】
本発明にかかる携帯デジタル受信装置は、音声のみを再生する音声モード、映像のみを再生する映像モード選択時に、デコード部および映像表示デバイスの回路動作を停止する機能を有し、消費電力を削減することとして有用である。また、本発明は携帯デジタル放送受信装置だけでなく、据え置きのデジタル放送受信装置や、車載のデジタル放送受信装置等にも利用でき、産業上の利用可能性は広い。
【符号の説明】
【００８７】
１    アンテナ
２    チューナ
３    デジタル復調復号部
４    映像デコード回路
５    映像出力回路
６    表示デバイス
７    音声デコード回路
８    音声出力回路
９    スピーカ・イヤホン
１０    操作部
１１    制御部
１２    イヤホン差込検出部
１３    形態検出部
１４    ダウンデコード制御部
１５    表示デバイス
１６    電池残量検出部
１７    通信・ゲーム機能操作部
１８    通信・ゲーム機能処理回路
１９    画像出力回路
２０    表示信号制御部
２１    デジタル放送機能動作状態表示部
２２    モード状態表示部
４１    スイッチ
４２    スイッチ
４３    スイッチ
５１    デジタル受信復調部
５２    映像デコード部
５３    音声デコード部
１０１    リモートコントロール装置
１０２    リモコン受光部
１０３    ＣＰＵ
１０４    電源回路
１０５    偏向電圧制御回路
１０６    映像信号音声信号入力端子
１０７    入力信号選択回路
１０８    同期分離回路
１０９    偏向高圧回路
１１０    映像信号処理回路
１１１    偏向コイル
１１２    アノード端子
１１３    ＣＲＴ
１１４    音声増幅回路
１１５    スピーカー
【図１】
0005507508.tif 000002
【図２】
0005507508.tif 000003
【図３】
0005507508.tif 000004
【図４】
0005507508.tif 000005
【図５】
0005507508.tif 000006
【図６】
0005507508.tif 000007
【図７】
0005507508.tif 000008
【図８】
0005507508.tif 000009
【図９】
0005507508.tif 000010